(57)【要約】【課題】従来の支柱に形成されたロックピンに必ずしも設計変更を必要とせず、斜杆のみならず水平杆のような架設部材を追加的に取り付けることのできる補助ロックピン用金具を提供すること。【解決手段】筋交いのような長尺の架設部材を架設するためのロックピンが形成された建築足場の支柱に取り付けられる補助ロックピン用金具であって、補助ロックピン用金具はロックピンに挿通して吊り下げ支持するための透孔４をその上部位置に有する本体プレート２と、本体プレート２前面であって透孔４の下方位置に突設された補助ロックピン５と、本体プレート２を支柱に対して固定するために本体プレート２に取着されたキャッチ１３とを備えること。【選択図】図１
2010248773.tif 000002
【特許請求の範囲】
【請求項１】
建築物の周囲に一定間隔で配列される複数の支柱と、同支柱と交差するように配設された複数の梁部材と、同支柱又は同梁部材に対して架設された通路用の複数の踏み板とから基本的骨格が構築され、前記支柱には同支柱の配列方向に対して略直交方向に突出するロックピンが形成され、隣接する前記支柱の前記ロックピン間に長尺の架設部材を架設することが可能な建築足場において使用され、
前記ロックピンに挿通して吊り下げ支持するための透孔をその上部位置に有する本体プレートと、同本体プレート前面であって前記透孔の下方位置に突設された補助ロックピンと、前記本体プレートを前記支柱に対して固定するために前記本体プレートに取着された固定部材とを備える前記支柱の前記ロックピンに隣接した位置に配設されることを特徴とする補助ロックピン用金具。
【請求項２】
前記本体プレートは前記支柱の周方向に略沿って湾曲させられ前記ロックピンに挿通して吊り下げた状態で前記支柱に対して左右端部寄りが接し、前記本体プレートの中心に向かって前記支柱との間に隙間が形成されることを特徴とする請求項１に記載の補助ロックピン用金具。
【請求項３】
前記本体プレートは左右外寄りが裏面側に向かって屈曲され、前記ロックピンに挿通して吊り下げた状態で前記支柱に対して左右端部寄りが接し、前記本体プレートの中心に向かって前記支柱との間に隙間が形成されることを特徴とする請求項１に記載の補助ロックピン用金具。
【発明の詳細な説明】
【技術分野】
【０００１】
本発明は、建築足場の支柱に形成されているロックピンに併設される補助ロックピン用金具に関するものである。
【背景技術】
【０００２】
一般に建築現場等に仮設される建築足場では、所定の間隔で立設された支柱と、梁部材とを縦横に組み合わせ梁部材に踏み板を架設することで基本的骨格が構築されている。このような建築足場では踏み板を歩行する際の作業の安全性を確保することを主目的として手すりとなる架設部材としての筋交い（ブレース）を設置するようになっている。例えば、特許文献１の図１〜図５に示すように脚柱１に突設されたいわゆるグラビティロックと呼称されるロックピン１２に対して架設部材としての斜杆（筋交い）８，９の端部８ａ，９ａを挿通させて斜杆８，９をＸ字状に交差させて手すりとするようにしている。
特許文献１のように通常１つのロックピン１２に対しては２つの端部８ａ，９ａを挿通させてロックするようにしている。つまり１つのロックピン１２に対して異なる方向の２本の斜杆８，９が架設されることとなっている。
【先行技術文献】
【特許文献】
【０００３】
【特許文献１】特開２００６−１１２１５１号公報
【発明の概要】
【発明が解決しようとする課題】
【０００４】
ところで、このような斜め方向の筋交いだけではなく作業者の足の踏み外しを防止するために膝下辺りにおいて水平方向に延出される長尺の架設部材としての水平杆を配置したいという要請がある。しかし、通常ロックピン１２は２本の斜杆８，９の端部８ａ，９ａの厚みに応じた長さに形成されており、斜杆８，９に加えてさらに水平杆をロックするだけの長さの余裕がなかった。この場合に多くの斜杆８，９や水平杆を取る付けるためにロックピン１２を長くしてしまうと脚柱１から大きく飛び出すこととなり、かえって作業者が踏み板を通行する際に引っ掛かりやすくなったり、長くする場合にはそれに応じて強度が必要となる等新たな問題が生じてしまう。
そのため従来の支柱に形成されたロックピンに必ずしも設計変更を必要とせず、斜杆８，９に加えてさらに水平杆のような追加的な架設部材を取り付けることのできる技術が求められていた。
本発明は、上記課題を解決するためのものである。その目的は、従来の支柱に形成されたロックピンに必ずしも設計変更を必要とせず、斜杆のみならず水平杆のような架設部材を追加的に取り付けることのできる補助ロックピン用金具を提供することにある。
【課題を解決するための手段】
【０００５】
上記課題を解決するために、請求項１の発明では、建築物の周囲に一定間隔で配列される複数の支柱と、同支柱と交差するように配設された複数の梁部材と、同支柱又は同梁部材に対して架設された通路用の複数の踏み板とから基本的骨格が構築され、前記支柱には同支柱の配列方向に対して略直交方向に突出するロックピンが形成され、隣接する前記支柱の前記ロックピン間に長尺の架設部材を架設することが可能な建築足場において使用され、前記ロックピンに挿通して吊り下げ支持するための透孔をその上部位置に有する本体プレートと、同本体プレート前面であって前記透孔の下方位置に突設された補助ロックピンと、前記本体プレートを前記支柱に対して固定するために前記本体プレートに取着された固定部材とを備える前記支柱の前記ロックピンに隣接した位置に配設されることをその要旨とする。
請求項２の発明では請求項１に記載の発明の構成に加え、前記本体プレートは前記支柱の周方向に略沿って湾曲させられ前記ロックピンに挿通して吊り下げた状態で前記支柱に対して左右端部寄りが接し、前記本体プレートの中心に向かって前記支柱との間に隙間が形成されることをその要旨とする。
請求項３の発明では、請求項１に記載の発明の構成において、前記本体プレートは左右外寄りが裏面側に向かって屈曲され、前記ロックピンに挿通して吊り下げた状態で前記支柱に対して左右端部寄りが接し、前記本体プレートの中心に向かって前記支柱との間に隙間が形成されることをその要旨とする。
【０００６】
このような構成においてロックピン用金具を取り付ける際には支柱に形成されたロックピンを本体プレートの上部位置に形成された透孔に挿通させ本体プレートを支柱の上下方向に沿って吊り下げ支持させる。そして固定部材によって本体プレートが揺動しないように支柱に固定させる。これによって本体プレート前面に補助ロックピンが元々支柱に形成された上方位置のロックピンと平行に形成されることとなる。
補助ロックピンは元々支柱に形成された上方位置のロックピンの支柱に沿った直下位置に配置されることが好ましい。また、補助ロックピンとロックピンの外形形状は同じであることが好ましい。
また、本体プレートは支柱の周方向に略沿って湾曲させられてロックピンに挿通して吊り下げた状態で支柱に対して左右端部寄りが接し、本体プレートの中心に向かって支柱との間に隙間が形成されるような構成であることが好ましい。
また、本体プレートは左右外寄りが裏面側に向かって屈曲され、ロックピンに挿通して吊り下げた状態で支柱に対して左右端部寄りが接し、本体プレートの中心に向かって支柱との間に隙間が形成されるような構成であることが好ましい。
これらのような構成が好ましいのは次のような理由による。本体プレートは安定性から支柱に当接させることが好ましい。本体プレートをロックピンに挿通させた場合に本体プレートはロックピン周辺で断面円形の支柱に最も接近することとなる。しかし、通常支柱に形成されるロックピンは溶着に伴うビードの盛り上がりをその周囲に有するため本体プレートを支柱外周面に対して当接させにくい状態となっているため、本体プレートをロックピン周辺で支柱に接触させるのは実際には困難である。そのため、このように本体プレートを支柱の周方向に略沿って湾曲、あるいは屈曲させることによって本体プレートの左右端部寄り位置で支柱に当接させて安定化を図るわけである。尚、本体プレートの左右端部寄りは本体プレートの上下方向に沿ってすべて支柱と接する必要はない。
【発明の効果】
【０００７】
上記各請求項の発明のように構成すれば、元々支柱に形成されたロックピンの近傍に補助ロックピンを設置することができ、追加的な長尺の架設部材を補助ロックピンを使用して配設することが可能となる。
【図面の簡単な説明】
【０００８】
【図１】本発明の実施例の補助ロックピン用金具の斜視図。
【図２】同じ補助ロックピン用金具の縦断面図。
【図３】同じ補助ロックピン用金具の背面図。
【図４】同じ建築足場用幅木の一部省略平面図
【図５】（ａ）は同じ補助ロックピン用金具を支柱側のロックピン位置に取り付ける工程を説明する説明図、（ｂ）は同じ補助ロックピン用金具を支柱側に取り付けた状態の説明図。
【図６】補助ロックピン用金具を支柱に取り付けた状態で筋交いと水平杆をそれぞれロックピンと補助ロックピンに係合させた状態の部分拡大説明図。
【図７】建枠の正面図。
【図８】建築足場の一例を説明する斜視図。
【図９】（ａ）は筋交いの正面図、（ｂ）は水平杆の正面図。
【図１０】他の実施例の補助ロックピン用金具の斜視図。
【発明を実施するための形態】
【０００９】
以下、本発明の補助ロックピン用金具の具体的な実施例を図面に基づいて説明する。
図１〜図５に示すように、補助ロックピン用金具１は一定の厚みの鋼板からなる本体プレート２を備えている。本体プレート２は長方形の板材の長手（上下）方向に沿ってその両端寄りを裏側に向かって内角が鈍角となるように屈曲させた屈曲部３を備えた平面視において無底の台形形状とされている。
本体プレート２の中央上方寄りには円形の透孔４が形成されている。本体プレート２の中央下方寄りには補助ロックピン５が本体プレート２の前面に対して直交方向に突出形成されている。図２に示すように、補助ロックピン５は断面円形の中空の円筒体であって、本体プレート２に形成された取り付け孔６に対して挿通された状態で基端が取り付け孔６周縁に対してかしめられて固定されている。補助ロックピン５の外径は前記透孔４の内径よりも若干小さめとされている。
【００１０】
補助ロックピン５の先端下方位置にはロック爪８が配設されている。ロック爪８は図１に示すように一定の厚みの略方形の鋼板を断面Ｕ字状に折り畳んで構成されており、回動軸９によって回動可能に支持されている。図２に示すように、ロック爪８は補助ロックピン５と自身の間に配置された板バネ１０によって常時回動軸９よりも後方（補助ロックピン５基端側）が下方に揺動するように付勢されている。その結果、ロック爪８は補助ロックピン５の先端下方位置に形成されたスリット１１から下方に自身の後方下方寄り部分が補助ロックピン５の下方に露出されている。
本体プレート２の裏面には固定部材としての板バネからなる均等幅の左右一対の湾曲した板バネ１３ａ，１３ｂをリング状に連結したキャッチ１３が配設されている。両板バネ１３ａ，１３ｂの先端の間隔（挿入口１４）は後述する脚柱パイプ２１の直径より狭いためキャッチ１３は脚柱パイプ２１に取着される際に左右に一旦押し広げられることとなる。キャッチ１３は前記補助ロックピン５と一緒に取り付け孔６周縁に対してかしめられて固定されている。従って、キャッチ１３は補助ロックピン５と同じ位置に配置されることとなる。
【００１１】
次に、このように構成された補助ロックピン用金具１の使用方法の一例について説明する。
補助ロックピン用金具１が取り付けられる建枠１５は図７に示すように左右一対の断面円形形状の脚柱パイプ２１と、両脚柱パイプ２１を上端位置で連結する脚柱パイプ２１と同太さの断面円形形状の連結パイプ２２とから基本的な骨格が構成されている。各脚柱パイプ２１の内側面には脚柱パイプ２１と連結パイプ２２よりも若干細い補強フレーム２３が配設されている。両脚柱パイプ２１の対向する内側の上方及び下方寄り位置にはそれぞれロックピン２５が溶接によって固着されている。ロックピン２５は前記補助ロックピン５と同寸同形状とされている。補助ロックピン５と同様の構成のロック爪２６が形成されている。
補助ロックピン用金具１は次のように取り付けられる。
作業者は図５（ａ）に示すように、補助ロックピン用金具１を取り付け予定の脚柱パイプ２１のロックピン２５に透孔４が挿通させ、補助ロックピン５がロックピン２５の直下に配置されるようにして本体プレート２を脚柱パイプ２１に接近させていく。ロックピン２５が透孔４に挿通されると同時にキャッチ１３の先端が脚柱パイプ２１に当接する。キャッチ１３の挿入口１４は本体プレート２の真裏（つまり補助ロックピン５の延出方向と同一線上）に配置されているため本体プレート２を脚柱パイプ２１方向に押し込むと板バネ１３ａ，１３ｂは左右に押し広げられることとなる。
本体プレート２の脚柱パイプ２１への接近に伴いロックピン２５のロック爪２６が透孔４の周縁によって一旦ロックピン２５内に退避させられる。ロック爪２６は透孔４周縁の干渉がなくなると図示しない板バネの付勢力によって再度外部に露出する。そして、本体プレート２の脚柱パイプ２１への接近に伴ってキャッチ１３は押し広げられていき脚柱パイプ２１の最大径（直径）を乗り越えると自身の付勢力で縮径する。そして、本体プレート２の屈曲部３の先端寄り内側が脚柱パイプ２１に当接し（但し、図４（ｂ）に示すようにキャッチ１３に近い下方部分はキャッチ１３の厚みがあるため屈曲部３は脚柱パイプ２１に当接しない）キャッチ１３が脚柱パイプ２１を包囲した状態で補助ロックピン用金具１の取り付けが完了する。（図５（ｂ）の状態）。
【００１２】
ロックピン２５は脚柱パイプ２１への溶着の際のビードをその基部周辺に有しているが、例えば図４（ａ）及び（ｂ）に示すように本体プレート２の中央寄り部分は脚柱パイプ２１から離間した位置に配置されるため、本体プレート２がこのビードに干渉することはない。また、本体プレート２は上方のロックピン２５に吊り下げられているため下方へのずり落ちが防止され、キャッチ１３によって本体プレート２の下方の揺動が防止される。更に本体プレート２の屈曲部３の先端寄り内側が脚柱パイプ２１に当接するためがたつきも抑制されることとなる。このように補助ロックピン用金具１が正確に取り付けられると図５（ｂ）に示すように補助ロックピン５は元々脚柱パイプ２１に突設されたロックピン２５の脚柱パイプ２１の上下方向に沿った直下にロックピン２５と平行に配置されることとなる。
【００１３】
本実施例では例えば図８に示すように建築現場においては建枠１５を所定間隔をおいて水平方向に配置するとともに垂直方向に連結し、踏み板２４を隣接する連結パイプ２２間に架設して通路を形成して建築足場を構築するものとする。そして、このように構築した建築足場を補強するために筋交い２７をロックピン２５に取り付けている。また、水平杆２８を補助ロックピン用金具１の補助ロックピン５に取り付けている。
図６及び図９（ａ）に示すように、筋交い２７は断面円形形状のパイプ材をＸ字状に交差させた部材であって、パイプ材の両端寄り部分がつぶされ、そのつぶされた両端寄り位置にロックピン２５に挿通させるための小透孔２９が形成されている。図６及び図９（ｂ）に示すように、水平杆２８も同様に断面円形形状のパイプ材の両端寄り部分がつぶされ、そのつぶされた両端寄り位置に前記補助ロックピン５に挿通させるための小透孔３０が形成されている
本実施例では図８に示すように、本実施例の補助ロックピン用金具１は２階以上の建枠１５の内側位置に配置された脚柱パイプ２１の下側のロックピン２５に隣接した位置に配設したが、この位置に限定されるわけではない。隣接する建枠１５の脚柱パイプ２１の同じ位置にはそれぞれ補助ロックピン用金具１が配設され、隣接する補助ロックピン用金具１の補助ロックピン５間には水平杆２８が架設されている。図６に示すように、補助ロックピン用金具１が併設された脚柱パイプ２１側のロックピン２５付近では筋交い２７は上方のロックピン２５に小透孔２９が挿通され係合されており、水平杆２８は下方の補助ロックピン５に小透孔３０が挿通され係合されている。
【００１４】
このように構成することにより本実施例は以下のような効果を奏する。
（１）補助ロックピン用金具１を設置することで、脚柱パイプ２１に形成された元々のロックピン２５はそのまま筋交い２７を取り付けるために使用でき、新たに水平杆２８を補助ロックピン用金具１の補助ロックピン５に取り付けることで建築足場に配設することが可能となる。
（２）補助ロックピン用金具１は元々のロックピン２５に吊り下げるようにしているので、上下方向の位置が必然的に定まりずり落ちてしまうことはない。従って、元々のロックピン２５と補助ロックピン５の間隔も一定である。
（３）脚柱パイプ２１に形成されたロックピン２５はどうしても周囲にビードができてしまうが、本体プレート２はこのビードに干渉しないように、なおかつ屈曲部３先端寄り内側が脚柱パイプ２１に当接するためがたつきも抑制されることとなる。
（４）補助ロックピン用金具１は本体プレート２の上部寄りの透孔４に元々のロックピン２５を挿通させて吊り下げるようにしキャッチ１３を押し込むようにするだけで取付が完了するため、作業が楽である。
【００１５】
尚、この発明は前記実施例に限定されるものではなく、次のように変更して具体化することも可能である。
・上記では補助ロックピン用金具１は図８に示すように２階以上の建枠１５の外側位置に配置された脚柱パイプ２１の下側のロックピン２５に吊り下げるようにしていたが、建枠１５の内側（建物側）や脚柱パイプ２１の下側のロックピン２５に吊り下げるように使用してもよい。またロックピン２５は上記実施例では脚柱パイプ２１の内側（通路側）に突出するように形成されていたが、外側を向いていても構わない。
・上記実施例の補助ロックピン用金具１の本体プレート２は屈曲部３を有するようにしてロックピン２５周囲のビードを避けるようにしていたが、図１０のように本体プレート２を脚柱パイプ２１の曲率より大きくした湾曲状に形成し両端のみ脚柱パイプ２１に接触するように構成してもよい。
・補助ロックピン用金具１の本体プレート２の透孔４は本体プレート２自体に形成させずに本体プレート２の上部位置に吊り下げ用の突出部を形成し、その突出部に透孔４を形成するようにしてもよい。
・上記実施例では建枠１５を支柱及び梁部材を有する足場の構成部材としたが、他の部材、例えば単管支柱であっても構わない。
その他、本発明の趣旨を逸脱しない態様で実施することは自由である。
【００１６】
上記請求項に適宜追加可能な上記実施の形態から把握できる本発明のその他の技術的思想について下記に付記として説明する。
（１）建築物の周囲に一定間隔で配列される複数の支柱と、同支柱と交差するように配設された複数の梁部材と、同支柱又は同梁部材に対して架設された通路用の踏み板とから基本的骨格が構築され、前記支柱には同支柱の配列方向に対して略直交方向に突出するロックピンが形成され、隣接する前記支柱の前記ロックピン間に長尺の架設部材を架設することが可能な建築足場において使用され、
前記ロックピンに挿通して支持するための透孔をその上部位置に有する本体プレートと、同本体プレート前面であって前記透孔の下方あるいは上方位置に突設された補助ロックピンと、前記本体プレートを前記支柱に対して固定するために本体プレートに取着された固定部材からなる前記支柱の前記ロックピンに隣接した位置に配設されることを特徴とする補助ロックピン用金具。
このように補助ロックピンは支柱側のロックピンに対して上方あるいは下方に位置するように配置することが可能である。
（２）前記固定部材は前記支柱の外径に沿って湾曲した左右一対の板バネ部材であって、両板バネ部材の先端は前記支柱に対する挿入口となるべく間隔を空けて配置されていることを特徴とする請求項１〜３及び付記１に記載の補助ロックピン用金具。
【符号の説明】
【００１７】
１…補助ロックピン用金具、２…本体プレート、４…透孔、５…補助ロックピン、…架設部材としての、１３…固定部材としてのキャッチ、２１…支柱としての脚柱パイプ、２２…梁部材としての連結パイプ、２４…踏み板、２７…長尺の架設部材としての筋交い、２８…長尺の架設部材としての水平杆。
【図１】
2010248773.tif 000003
【図２】
2010248773.tif 000004
【図３】
2010248773.tif 000005
【図４】
2010248773.tif 000006
【図５】
2010248773.tif 000007
【図６】
2010248773.tif 000008
【図７】
2010248773.tif 000009
【図８】
2010248773.tif 000010
【図９】
2010248773.tif 000011
【図１０】
2010248773.tif 000012